Podtech/llm-jp-corpus-v4-ja_patent huggingface dataset:
(57)【要約】【課題】人肌と同様の感触を有し、しかもフィット性に富んだブラジャーの製造を可能とするブラジャー装着用パットを提供する。【解決手段】パットに、密度が３０〜８０ｋｇ／ｍ３　である低反発のポリウレタンフォーム１を使用する。しかも、下カップ２と上カップ３に分離して形成されたポリウレタンフォームを逢着し、その逢着部が乳房に沿った曲線を形成するようにし、上カップ３のポリウレタンフォームの厚さを、下カップ２のポリウレタンフォームの厚さの１／３〜２／３と薄く形成した。【選択図】　図１
0003098383.tif 000002
【実用新案登録請求の範囲】
【請求項１】
ポリウレタンフォームからなるパットであって、前記ポリウレタンフォームの密度が３０〜８０ｋｇ／ｍ３　であることを特徴とするブラジャー装着用パット。。
【請求項２】
下カップと上カップに分離して形成された前記ポリウレタンフォームを逢着し、その逢着部が乳房に沿った曲線を形成するようになしたものであり、前記上カップのポリウレタンフォームの厚さが、前記下カップのポリウレタンフォームの厚さの１／３〜２／３であることを特徴とする請求項１のブラジャー装着用パット。
【請求項３】
前記下カップの上縁と前記上カップの下縁を重ね合わせ、その表裏にテープを置いて、その上から、重なり合った部分をジグザグ縫いで逢着していることを特徴とする請求項２のブラジャー装着用パット。
【請求項４】
前記下カップの上縁がオーバーミシン仕上げした後、前記上カップに逢着されていること特徴とする請求項２又は３のブラジャー装着用パット。
【請求項５】
前記ポリウレタンフォーム逢着品を伸縮性ある布帛で包んでなるものであることを特徴とする請求項２〜４いずれか１項のブラジャー装着用パット。
【考案の詳細な説明】
【０００１】
【考案の属する技術分野】
本考案は、自然な感触で、フィット感に富んだブラジャーを形成することができるブラジャー装着用パットに関する。
【０００２】
【従来の技術】
ブラジャー装着用のパットには、一般に、反発弾性に富んだポリウレタンフォーム又は不織布を使用することが知られていた。しかし、これらでは人肌とは異なる感触となり、またフィット感にも問題があった。
【０００３】
【考案が解決しようとする課題】
そこで、本考案では、ポリウレタンフォームを使用し、人肌と同様の感触を有し、しかもフィット感に富んだブラジャーの製造を可能とする新規なブラジャー装着用パットを提供することを課題とする。
【０００４】
【課題を解決するための手段】
本考案では、密度が３０〜８０ｋｇ／ｍ３　である低反発のポリウレタンフォームを使用することによって、上記課題を解決した。
【０００５】
本考案のパットは、下カップと上カップに分離して形成されたポリウレタンフォームを逢着し、その逢着部が乳房に沿った曲線を形成するようにするのが好ましく、この際、上カップのポリウレタンフォームの厚さを、下カップのポリウレタンフォームの厚さの１／３〜２／３と薄く形成することにより、よりフィット感に富んだ、自然な感触の製品となすことができる。
【０００６】
本考案で使用する低反発のポリウレタンフォームは、逢着が困難であるが、下カップの上縁と上カップの下縁を重ね合わせ、その表裏にテープを置いて、その上から、重なり合った部分をジグザグ縫いで逢着することにより、安定した逢着が可能となる。
【０００７】
また、上カップと下カップの厚さを異なるものとするため、厚手の下カップの上縁をオーバーミシン仕上げした後、上カップの下縁と、逢着するのがよい。
【０００８】
なお、このようにして仕上げられたポリウレタンフォーム逢着品を伸縮性ある布帛（例えばトリコット等）で包んでパットとするのが、扱い易い。
【０００９】
かかるパットは、通常の方法で、ブラジャーに装着されればよいが、使用するポリウレタンフォームが低反発であるため、ブラジャーのカップの下縁は、硬質のワイヤーなどで縁取られるのが好ましい。
【００１０】
【考案の実施の形態】
次に、図面に示す一例に従って、本考案を更に詳しく説明するが、この例によって本考案が限定されるものではない。
図１の例では、密度６０ｋｇ／ｍ３　である低反発のポリウレタンフォーム１を使用したものであり、下カップ２のポリウレタンフォームの厚さは１０ｍｍ、上カップ３のポリウレタンフォームの厚さは５ｍｍとした。
下カップ２のポリウレタンフォームの上縁４は、オーバーミシン仕上げし、上カップ３の下縁５と約５ｍｍ幅で重ね合わせ、表裏にニット製のテープ７を添え、その上から、ジグザグ縫いで逢着した　（図１のＢ参照）
更に、このようにして仕上げたポリウレタンフォーム製の逢着物を、トリコット製のくるみ布６で包み、パットとした。
くるみ布６とポリウレタンフォームは、上カップの上縁と下カップの脇部で、縫い合わせられている。
【００１１】
このようにして得たパットを、ブラジャーに装着したところ、非常にフィット性よく、使用でき、その感触は、ブラジャーの存在を感じさせない、自然な感触となった。
【００１２】
【考案の効果】
本考案のパットは、密度が３０〜８０ｋｇ／ｍ３　である低反発のポリウレタンフォームを使用するため、それを装着したブラジャーは、パットの存在を実質的に感知させることなく、人肌と同様の感触を有し、しかも非常にフィット性よく使用できるものとなる。
【図面の簡単な説明】
【図１】本考案の一例を示すもので、Ａは製品の外観図、Ｂはポリウレタンフォームの縫製状態を示す部分的な斜視図、Ｃは製品の部分的な断面図である。
【符号の説明】
１　ポリウレタンフォーム
２　下カップ
３　上カップ
４　上縁
５　下縁
６　くるみ布
７　テープ
【図１】
0003098383.tif 000003
【手続補正書】
【提出日】平成15年7月25日(2003.7.25)
【手続補正１】
【補正対象書類名】明細書
【補正対象項目名】実用新案登録請求の範囲
【補正方法】変更
【補正の内容】
【実用新案登録請求の範囲】
【請求項１】
下カップと上カップに分離して形成されたポリウレタンフォームを逢着し、その逢着部が乳房に沿った曲線を形成するようになしたパットであり、前記ポリウレタンフォームの密度が３０〜８０ｋｇ／ｍ３　であることを特徴とするブラジャー装着用パット。
【請求項２】
前記上カップのポリウレタンフォームの厚さが、前記下カップのポリウレタンフォームの厚さの１／３〜２／３であることを特徴とする請求項１のブラジャー装着用パット。
【請求項３】
前記下カップの上縁と前記上カップの下縁を重ね合わせ、その表裏にテープを置いて、その上から、重なり合った部分をジグザグ縫いで逢着していることを特徴とする請求項２のブラジャー装着用パット。
【請求項４】
前記下カップの上縁がオーバーミシン仕上げした後、前記上カップに逢着されていること特徴とする請求項２又は３のブラジャー装着用パット。
【請求項５】
前記ポリウレタンフォーム逢着品を伸縮性ある布帛で包んでなるものであることを特徴とする請求項２〜４いずれか１項のブラジャー装着用パット。
(57)【要約】　　　（修正有）【課題】使用時にめくれ上がったり、ずれ落ちたりということを防止し、安定性よく使用でき、外気と遮断することにより、保温効果を得ることができる毛布を提供する。【解決手段】従来からある立毛パイル生地１の毛布であって、襟２もしくは縁飾り４等に繊維集合体等の充填物を入れ、縫合し保持させた増厚部３を設ける。【選択図】　図３
0003098390.tif 000002
【実用新案登録請求の範囲】
【請求項１】
立毛パイル生地の毛布に襟をつけ、その両端に袋部分を形成し重みのある充填物を入れた毛布。
【請求項２】
上記立毛パイル生地の毛布の縁飾りの一部に、重みのある充填物を入れた毛布。
【考案の詳細な説明】
【０００１】
【考案の属する技術分野】
本考案は、立毛パイル生地の毛布に関する。
【０００２】
【従来の技術】
従来、立毛パイル毛布の縫製は、パイル面を表側にして張り合わせたタイプやパイル生地の裏面を起毛した一重タイプのもので、いわゆるマイヤー毛布が知られている。
【０００３】
この毛布は一般的には、本体に縁飾りした単なる毛布縫製であるため、使用時に首や肩にフィット感が無く、外気が寝床内に入り込み、保温効果が妨げられ、これにより安眠効果を妨げられることもまれではなかった。ベッドでの使用時はめくれ上がり、すべりが生じるということも多くあった。
【０００４】
本考案は上記に鑑みてなしたもので、従来ある立毛生地毛布の襟部両端に、充填物を入れることで、この襟部両端がほどよい重さになり、安定性よく使用できるようになる。又、外気との遮断により、保温効果を得ることができる特殊な機能を持った毛布を提供するものである。さらに縁飾り部に充填物を入れることにより、毛布がめくれ上がったり、ずれ落ちたりしないような毛布をも提供する。
【０００５】
【課題を解決するための手段】
上記の課題を解決する本考案は、ダブルラッセル機で編み立てした立毛パイル生地の毛布であって、襟の両端部に充填物を入れ縫合し保持させた増厚部を設けてなることを特徴とする。
【０００６】
この毛布は前記の増厚部は、重みもあり、襟部両端が沈み込むことで、首や肩にフィットし、使用中の安定性が増し、その上外気と遮断することで、保温効果を得ることができる。身体の上に載る中央部領域では従来同様に比較的軽くなる。その為、掛け毛布として身体に優しく好適に使用できる。しかも毛布の襟部両端が前記増厚部のために、毛布が過度に動いたり、周縁部が捲くれあがったりもせず、身体に掛けた状態を良好に保ち、安定性良く使用できる。また外気を遮断するので、保温性も良好に保持される。
【０００７】
前記の充填物を入れた増厚部を、縁飾り部にも設けることもができる。この場合、前記の充填物を入れた増厚部により、少なくとも、両側辺と足元側辺との３辺部等の毛布周縁部では厚みが大きく、重くなり、上記同様、安定性・保温性とも良好に保持される。
【考案の実施の形態】
以下、図面を用いながら、本考案の構成を詳細に説明する。
【０００８】
本考案は、大きく分けて、立毛パイル生地本体（１）と襟部（２）そして縁飾り部（３）に分けられ立毛パイル生地本体（１）の周縁に縁飾り（３）をし、その後、立毛パイル生地本体（１）の表裏を挟むように襟部（２）を縫い付けて成ることを特徴とする。どちらも、立毛パイル生地で出来ている。
【０００９】
上記の立毛パイル生地を構成する繊維に特に限定はないが、立毛パイル生地本体（１）は両面パイル調にニューマイヤー加工を施したものがよく、襟部（２）は片面パイル立毛加工生地で、折り返して取り付けたものである。
【００１０】
上記の立毛パイル生地自体は、公知の任意の方法によって製造されたものでよく、例えば、カチオン染料可染のアクリル繊維紡績糸を用い、ダブルラッセル機にて、二重構造の組織に編み立て、二重構造の組織間をセンターカットして二枚のパイル原反とし、それぞれにカチオン染料を含む染料液をパッディングあるいはプリントし、スチーミングして、染料を繊維に着色させる染色加工を施した後、起毛、毛捌き、せん毛、ポリッシャー、せん毛の加工工程により、両面パイル及び片面パイルの各々の仕上加工を施す。
【００１１】
本考案の立毛パイル生地のパイル長は特に制限しないが、本体は６ｍｍ〜１０ｍｍであることが好ましく、襟部は１０ｍｍ〜２０ｍｍが好ましい。
【００１２】
本考案の襟部の幅サイズは３０ｃｍ程度の両面折り込みが好ましい。
【００１３】
襟部（２）の両端に入れる充填物は、繊維集合体・中綿等でよく、その繊維集合体は遠赤加工・抗菌防臭加工等の特殊加工をしたものでも可能である。その繊維集合体は、均等にバランス良く、ふくらみをもたせて、たくさんつめる事が好ましい。縁飾り部（３）に充填物を入れる場合は、本体の端より５ｃｍから１０ｃｍぐらいの幅で、充填物を入れられる様に少し余裕を持たせて取り付ける。
【００１４】
本考案の縫製加工は図１を用いて説明すると、立毛パイル生地本体（１）の四方に縁飾り（３）を掛けて行く。次いで襟部（２）を本体の表裏に挟み込むように縫い付ける。その際、表面３０ｃｍ、裏面３０ｃｍとなるよう縫い付けるのが好ましい。縫い付けた後、本体両端から１０ｃｍぐらいのところに襟部（２）で袋部分を形成し、そこに繊維集合体もしくは中綿等をバランス良く均等に詰め込む。上記の要領で形成した襟部（２）に増厚部を設けた場合の断面図が図２であり、５が縫合部となる。
【００１５】
本考案を実際に使用した時が図３のようになり、矢印方向（下方）に重みがかかり、首や肩および身体にフィットし、安定する。
【００１６】
【考案の効果】
上記のように、本考案は、従来ある立毛パイル生地の毛布の襟部両端に、充填物を入れる増厚部を作ることにより、その部分が重さをあたえることで、首や肩にフィットさせることにより、安定性よく使用でき、かつ冷気の通過を遮断することにより、保温効果を得ることができる利便商品として評価を受けているものである。又、縁飾りの一部に充填物を入れることで、上記同様の効果を得られることが出来る。
【図面の簡単な説明】
【図１】本考案の毛布の全体図である。
【図２】本考案の襟部に増厚部を設けた場合の断面図である。
【図３】本考案をベッドで使用した時の図である。
【符号の説明】
１…立毛パイル生地
２…襟部
３…増厚部
４…縁飾り部
５…縫合部
６…充填物（繊維集合体もしくは中綿等）
【図１】
0003098390.tif 000003
【図２】
0003098390.tif 000004
【図３】
0003098390.tif 000005
(57)【要約】　　　（修正有）【課題】観賞魚用水槽の上部に設置する濾過器において、濾過器の底部に水槽内の水を温めるためのヒーターと、水槽内の照明をおこなうための照明具を設置、または取りつけられるようにした濾過器で、濾過器の底にヒーターと照明具を設置することを特長とした観賞魚用水槽の濾過器を提供するものである。【解決手段】本考案を実施するために、水槽１の上部に設置する濾過器の底にヒーター５と照明具を設置する。【選択図】　図１
0003098389.tif 000002
【実用新案登録請求の範囲】
【請求項１】
観賞魚用水槽の上部に設置する濾過器において、濾過器の底部に水槽内の水を温めるためのヒーターと、水槽内の照明をおこなうための照明具を設置、または取りつけられるようにした濾過器で、濾過器の底にヒーターと照明具を設置することを特長とした観賞魚用水槽の濾過器。
【請求項２】
観賞魚用水槽の上部に設置する濾過器において、濾過器の底部に水槽内の水を温めるためのヒーターを設置した観賞魚用水槽の濾過器。
【請求項３】
観賞魚用水槽の上部に設置する濾過器において、濾過器の底部に水槽内の照明をおこなうための照明具を設置した観賞魚用水槽の濾過器。
【考案の詳細な説明】
【０００１】
【考案が解決しようとする課題】
従来、観賞魚用水槽にはヒーター、濾過器、照明具は別々に設置しており、水槽の美観を損ねると共にコスト高になる問題点を有していた。
【０００２】
【課題を解決するための手段】
本考案を実施するために、水槽の上部に設置する濾過器の底にヒーターと照明具を設置する。
【０００３】
上記目的を達成するために、水槽の上部に設置する濾過器の底にヒーターを設置する。
【０００４】さらに、水槽の上部に設置する濾過器の底に照明具を設置する。
【考案の効果】
【０００５】
濾過器とヒーター、照明具を一体にすることにより、水槽に設置した場合、水槽の内外がシンプルに美的に収まり、さらに濾過器とヒーター照明がを一体化することにより部材が減りコストダウンが図れる。
【図面の簡単な説明】
【図１】図１はこの考案になる観賞魚用水槽の濾過器で、水槽の上部に設置した実施例の一例を示す概略的な断面図である。
【符号】
１水槽
２濾過ケース
３濾過ケース受け蓋
４熱伝導板
５シート状ヒーター
６濾過水排出穴
７発光ダイオード
８ヒーター、照明具保持板
９エアーチューブ
１０電源コード
１１サーモスタット
１２エアー送風パイプ
１３気泡誘導パイプ
１４エアーストーン
１５濾過ケース蓋
１６エアーリフト排水口
１７エアーポンプへ
１８電源へ
【図１】
0003098389.tif 000003
(57)【要約】　　　（修正有）【課題】着用する際や動いている最中でも、着用者に不快感を与えることがないケアレーベルを提供すること。【解決手段】着衣に設ける布帛製のケアレーベルにおいて、隅角部分にアール部１，１’，１’’，１’’’を設けた。好ましくは、ケアレーベルの隅角部分に超音波カットしてなるアール部１，１’，１’’，１’’’を形成した。また、二つ折りされた短冊状のケアレーベルの折り目部分２１を着衣に固着してなるケアレーベルの開放端の隅角部分にアール１，１’，１’’，１’’’が形成されている。【選択図】図２
0003098338.tif 000002
【実用新案登録請求の範囲】
【請求項１】
隅角部分にアール部を形成してなるケアレーベル。
【請求項２】
ケアレーベルの隅角部分に超音波カットしてなるアール部を形成したことを特徴とする請求項１に記載のケアレーベル。
【請求項３】
二つ折りされた短冊状のケアレーベルの折り目部分を着衣に固着してなるケアレーベルの開放端の隅角部分にアールが形成されていることをことを特徴とするケアレーベル。
【考案の詳細な説明】
【０００１】
【産業上の利用分野】
本考案は、下着やワイシャツなどに縫着又は溶着（以下縫着と略称する）して、サイズや商標などを表示するケアレーベルに関する。本明細書において、ケアレーベルは、通称洗濯ネームと呼ばれるものを総称するもので、商品のブランド、サイズ、体形、洗濯絵表示、品質又は原産地などが表記される外、デメリット表示、或いはＰＬ法に基づく注意書きなどを表記するためのものをいう。
【０００２】
【従来の技術】
一般的に、図４のように、下着やワイシャツなどの着衣ＳＨには、洗濯適合の表示やサイズなどを表示したケアレーベルＰＮが取り付けられている。このケアレーベルＰＮは、短冊状布帛の両面に表示部をプリントした後、その片側を着衣に逢着して用いるか、表記内容が多い場合には、２枚のケアレーベルＰＮを縫着したり、１枚の比較的長いケアレーベルＰＮを二つ折りして着衣に縫着している。しかし、従来のケアレーベルは、長尺のラベル用の布地又はポリエステル布帛を、短冊状にカットしたものが使用されているので、その隅角部は角張ったものとならざるを得なかった。そのため、この隅角部分は尖鋭部分となり、着衣を着用する際や動いている最中に、この尖鋭部分が肌に刺さるので、着用者に不快感を与えるという問題があった。
【０００３】
【考案が解決しようとする課題】
本考案は、着衣に取付けるケアレーベルのソフトタッチ化を目指すもので、特に直接肌身に接することの多い下着類に適しており、着用する際や動いている最中でも、着用者に不快感を与えることのないようにしたものである。
【０００４】
【課題を解決するための手段】
本考案は、隅角部分にアール部を設けたことを特徴としており、好ましくは、ケアレーベルの隅角部分に超音波カットしてなるアール部を形成した。超音波カットによってアール部を形成することにより、肌触りが良く、又ほつれも防止することができる。
【０００５】
【考案の実施の形態】
以下、添付図面に基づき、本考案に係る実施例を詳細に説明する。
【０００６】
図１は、本考案の一実施例のケアレーベルを示す平面図である。このケアレーベルは、白色のポリエステル糸で織った扁平な帯状の布帛からなる織物生地に、青色のインクでプリントした表示部分を有している。図１Ａは正面図、図１Ｂは背面図であり、このケアレーベルは、正面側に商標（商品名）５０、サイズ５１、品番５２、原産地５３が表示され、背面側には商標５０の他、品質５４、洗濯基準５５などが表記されている。
【０００７】
このケアレーベルの形状寸法は、通常長さＬが約４５ｍｍ、幅Ｈが約１５ｍｍの短冊状に構成されており、隅角部分を切り落として設けたアール部１，１’，１’’，１’’’は、半径φが約２ｍｍの円弧形状に面取りされている。このケアレーベルは次のように製造される。先ず、幅Ｈが１５ｍｍの長尺なリボン状の織物生地を準備し、この織物生地に表示部分をプリントし、その後、約４５ｍｍの間隔でカットし、更に、隅角部分を円弧状に超音波カットして形成する。
【０００８】
図２は、ケアレーベルを着衣に縫い付けた状態を示す図である。図２Ａは、前記した実施例のケアレーベルであって、ケアレーベルの両側２０，２０’を着衣に縫い付けている。図２Ｂは、前記とは別の実施例を示し、一枚のケアレーベルに多くの記載をする場合に用いられるものであり、高さは前記と同様約１５ｍｍであるが、長さが約８５ｍｍからなっており、中央部分ＣＬで二つ折りにし、二つ折りした部分２１を縫い付けている。
【０００９】
図３は、ケアレーベルのアール部の一つを拡大した図であり、図３Ａは、前記した実施例のケアレーベルである。図３Ｂ及びＣは別の実施例を示し、図３Ｂの実施例は、アール部１が２つの円弧状１０，１０’を組み合わせた形状からなり、図３Ｃの実施例は、アール部１が多角形状からなっている。図３Ｄは、大きな円弧状でアール部１を形成したものである。
【００１０】
前記の寸法構成は、本考案を実施するに当って一例の寸法を示したにすぎず、ケアレーベルの材料（例えば、ポリエステル、ナイロン、アセテートなど）や織り方（例えば、サテン、タフタなど）、受注サイズなどに応じて、変更可能なことは当然である。また、前記のように隅角部分を超音波カットしてアール部を形成する外、予め隅角部分にアール部を有するケアレーベルを製造しても良い。要は、ケアレーベルの隅角部を、円弧状や多角形状などの曲線状のアール部にすることにより、尖鋭形状を取り除き、隅角部分が肌に刺さらず、不快感を与えることがない。
【００１１】
【考案の効果】
本考案のケアレーベルは、隅角部分を直角ではなく、円弧状などに切り落としてアール部を設け、尖鋭部分を取り除いたものであり、肌触りがよく、肌に刺さることもないので、着用者に不快感を与えることがない。更に、簡単な加工で本考案を実施することができるため、大量生産に適し、コスト的な効果も大である。また、ケアレーベルを二つ折りにして、その折り目部分を１箇所だけ縫い付けるにも拘らず、肌触りの良い二枚のケアレーベルを縫い付けることと同様の効果があるので、縫製のコスト的な効果も大きい。また、肌の弱い幼児用下着に適用すれば、さっか傷の未然防止がきる外、後ろ首や脇側等のちくちく感がなくなり、着心地爽快となり、下着そのものの評価も高まる。
【図面の簡単な説明】
【図１】本考案の一実施例のケアレーベルを示す平面図である。
【図２】ケアレーベルを着衣に固着した状態を示す図である。
【図３】ケアレーベルのアール部の一つを拡大した図である。
【図４】従来のケアレーベルを着衣に縫い付けた状態を示す図である。
【符号の説明】
１　アール部
【図１】
0003098338.tif 000003
【図２】
0003098338.tif 000004
【図３】
0003098338.tif 000005
【図４】
0003098338.tif 000006
(57)【要約】　　　（修正有）【課題】棺に納めた遺体への遺族の供養の思いを表わすことができる棺を提供する。【解決手段】蓋板６に遺体の拝顔用扉７、７を有する棺１であって、この拝顔用扉７、７の裏面７ａに経文８等を付してなる。【選択図】　図１
0003098337.tif 000002
【実用新案登録請求の範囲】
【請求項１】
蓋板に遺体の拝顔用扉を有する棺であって、この拝顔用扉の裏面に経文等を付してなるを特徴とする棺。
【請求項２】
請求項１記載の棺であって、拝顔用扉が蓋板に対して片開き又は観音開き状に設けられていることを特徴とする棺。
【請求項３】
請求項１記載の棺であって、拝顔用扉の裏面に対し経文等をレーザー加工により刻字してなるを特徴とする棺。
【考案の詳細な説明】
【０００１】
【考案が属する技術分野】
本考案は、遺体を納め火葬に付する棺に関するものである。
【０００２】
【従来の技術】
一般に、この種の棺にあっては、主構造を可燃材料の木製として底板、左右の側板、前後の妻板及び蓋板から箱状に構成され、その蓋板には棺内に納めた遺体の拝顔用扉が観音開き状に設けられている。（例えば、特許文献１参照。）
【０００３】
【特許文献１】
特開２００２−２８２３１１号（［０００２］、図７）
【０００４】
【考案が解決しようとする課題】
しかしながら、通夜及び葬儀において、祭壇の前部に安置された棺にあっては、その棺の外側を飾り布等の棺覆で飾る手段が施されるものの、開状態とされる拝顔用扉は、その裏面がその扉の材質がそのまま表れているのが現状である。
そこで、本考案は、棺に納めた遺体への遺族の供養の思い表わすことができるを棺を提供することを目的とする。
【０００５】
【課題を解決するための手段】
上記した課題を達成するために、本考案の請求項１に記載の考案は、蓋板に遺体の拝顔用扉を有する棺であって、この拝顔用扉の裏面に経文等を付してなるをを要旨とするものである。
【０００６】
この構成によれば、祭壇の前部に安置された棺において、通夜及び葬儀にあって開状態とされる拝顔用扉の裏面に経文等を付することによって、遺体への遺族の供養の思い表わすことができるものである。
【０００７】
また、本考案の請求項２の考案は、請求項１に記載の棺にあって、拝顔用扉が蓋板に対して片開き又は観音開き状に設けられていることを要旨とするものである。
【０００８】
この構成によれば、拝顔用扉を片開き又は観音開き状に開くことにより、その開状態のままで該裏面に付された経文等を表出し見ることができる。
【０００９】
また、本考案の請求項３の考案は、請求項１に記載の棺にあって、拝顔用扉の裏面に対し経文等をレーザー加工により刻字してなるを要旨とするものである。
【００１０】
この構成によれば、拝顔用扉の裏面に対し経文等を簡易に付す（刻字）ことができる。
【００１１】
【考案の実施の形態】
以下、本考案の実施の形態を図にしたがって説明する。
【００１２】
図において、本実施の形態における棺１は、主構造を可燃材料の木製等となして、底板２、左右の側板３、３、前後の妻板４、４及び蓋板５から箱状に構成されており、その蓋板５には棺１内に納めた遺体（図示しない）の拝顔用の窓６が開口され、この拝顔用の窓６には該蓋体５に対して拝顔用扉７、７が観音開き状（両開き状）に蝶番等の開閉手段を介して開閉可能に設けられている。
【００１３】
そして、この観音開き状の拝顔用扉７、７の両裏面７ａにはそれぞれ所望の経文８等が所望の書体で付されている。
なお、付される経文８等は、例えば、般若心経等、各宗派の経文がそれぞれ選択されて採用されるものであり、また、経文８等の他、その遺体の（遺族）の家紋や「南無阿弥陀佛」等の題目を付してもよく、これらを総称して本明細書では「経文８等」という。
【００１４】
また、拝顔用扉７、７の両裏面７ａに付される経文８等の配置は適宜に組合わせて行なうものである。
【００１５】
そして、拝顔用扉７、７の両裏面７ａに経文８等を付す手段は、該裏面７ａに墨等により直接付すか、経文８等が書かれた（印刷された）紙等を貼着してもよく、また、図２に示すように、コンピュータＰＣにより制御されるレーザー加工装置Ｙによるレーザーにより刻字する手段を採用することによって、経文８等を簡易に付すことができる。
【００１６】
このように、本実施の形態にあっては、祭壇の前部に安置された棺１において、通夜及び葬儀にあって開状態とされる拝顔用扉７、７の裏面７ａに経文８等を付することによって、遺体への遺族の供養の思い表わすことができるものである。
【００１７】
なお、本実施の形態において、拝顔用扉７、７を観音開き状（両開き状）として説明したが、片開き状に構成してもよいことは勿論のことである。
【００１８】
【考案の効果】
請求項１に記載の考案にあっては、祭壇の前部に安置された棺において、通夜及び葬儀にあって開状態とされる拝顔用扉の裏面に経文等を付することによって、遺体への遺族の供養の思い表わすことができるものである。
【００１９】
請求項２の考案は、拝顔用扉を片開き又は観音開き状に開くことにより、その開状態のままで該裏面に付された経文等を表出し見ることができる。
【００２０】
請求項３の考案は、拝顔用扉の裏面に対し経文等を簡易に付す（刻字）ことができる。
【図面の簡単な説明】
【図１】棺の全体を示す斜視図である。
【図２】拝顔用扉の両裏面に対して経文８等を付す手段の一例を示す説明図である。
【符号の説明】
１　棺
６　蓋体
７、７　拝顔用扉
７ａ　裏面
８　経文等
【図１】
0003098337.tif 000003
【図２】
0003098337.tif 000004
(57)【要約】【課題】家庭用１００Ｖ電源なしで固定型局部洗浄器を、バス・トイレ両方設置型のバスルームに設備する。【解決方法】密封容器１に給湯弁３・洗浄弁４・圧力調整弁５をもうけ、容器１に給湯弁３を開き、湯１０を圧入する。容器１内の空気９は圧縮保存１１される。適温になったら給湯弁３を閉めておく。洗浄弁４を開く事により容器１内の圧力で一定量の温水１０がノズル６より射出する。また昇温不足の時は給湯量を増やし圧力調整弁５より低温水を流出させ適温にする。尚、給湯器２より配管内及び容器１内には、当初冷水７が残っているが容器が満ちる頃には適温になる。使用者は用便後、密封容器１の給湯弁３を開き温水注入後閉じる。洗浄弁４を少し開き湯温を確認後、便座１２にノズル６を装着する。ノズル６は便座１２に固定した部品１４より挿入し洗浄弁４を開くと局部を的確に洗浄できる。【選択図】　図４
0003098321.tif 000002
【実用新案登録請求の範囲】
【請求項１】
給湯機の湯を密封容器に注入し、容器内の空気を圧縮上昇させて湯圧を保つ。容器に湯を一時的に貯めることで給湯機からでる湯と配管内及び容器内の水の温度差をなくし、圧力調整弁を取り付けることで安全性を確保した洗浄容器。昇温不足のときは、湯の注入量を増やし圧力調整弁から低温水を流出させ昇温させる機能を特徴とする洗浄容器。
【請求項２】
前記密封容器からの温水をハンドノズルに給湯する。ハンドノズルは簡単に着脱出来るように、便座に固定する部品を通して挿入し固定することを特徴とする局部洗浄器。
【考案の詳細な説明】
【０００１】
【考案が解決しょうとする課題】
従来、固定型局部洗浄器は、１００Ｖ電源を使用し電気ヒーターにより温水を作り、圧力ポンプでノズルより温水を射出していた。ゆえに湿気の多いバス・トイレ・両方設置型のバスルームには設置出来ず不便であった。
【０００２】
【課題を解決するための手段】
上記問題を解決するために、通常風呂に使用している給湯器の湯を密封容器に注入し、容器内の空気を圧縮して湯圧を保ち、また給湯器より容器及び配管内の温度差を少なくする。圧力調整弁を取り付け安全性を確保し昇温不足の時は、湯の注入量を増やして圧力調整弁より低温水を排水させて適温に出来る。給湯器からの湯は高温だが、容器内の残水と混合し適温にし、その湯を便座に固定したハンドノズルを使い局部を洗浄する。ハンドノズルは着脱式とする。
【０００３】
【考案の効果】
１００Ｖ電源を使用しないのでバス・トイレ・同室型のバスルームに固定型の局部洗浄器が安全に設置できる。
【図面の簡単な説明】
【図１】圧力容器の平常時の断面図
【図２】圧力容器に給湯中の状態の断面図
【図３】圧力容器から出湯中の状態の断面図
【図４】圧力容器とハンドノズルをセットした図
【符号の説明】
１　圧力容器
２　給湯器
３　給湯弁
４　洗浄弁
５　圧力弁
６　ノズル
７　水
８　温度計
９　空気
１０　湯
１１　圧縮空気
１２　便器
１３　ホース
１４　固定部分
１５　にぎり
【図１】
0003098321.tif 000003
【図２】
0003098321.tif 000004
【図３】
0003098321.tif 000005
【図４】
0003098321.tif 000006
【手続補正書】
【提出日】平成15年7月15日(2003.7.15)
【手続補正２】
【補正対象書類名】明細書
【補正対象項目名】実用新案登録請求の範囲
【補正方法】変更
【補正の内容】
【実用新案登録請求の範囲】
【請求項１】
給湯弁、洗浄弁、圧力調整弁、温度計を組付けた圧力容器に給湯弁より湯を注入して容器内に圧縮空気層を作り、容器に湯を一時的に貯める事で配管内及び容器内の温水の温度差を少なくし圧力弁を組付けて安全性を確保し昇温不足の時は圧力調整弁より低温水を流出させて適温にして洗浄弁より一定量の温水をノズルに供給する圧力容器を特徴とする局部洗浄器。
【請求項２】
請求項１に記載の圧力容器からの温水を便座に固定した部品を通して挿入するハンドノズルを特徴とする局部洗浄器。
【手続補正３】
【補正対象書類名】明細書
【補正対象項目名】符号の説明
【補正方法】変更
【補正の内容】
【符号の説明】
▲１▼　圧力容器
▲２▼　給湯器
▲３▼　給湯弁
▲４▼　洗浄弁
▲５▼　圧力調整弁
▲６▼　ノズル
▲７▼　水
▲８▼　温度計
▲９▼　空気
▲１０▼　湯
▲１１▼　圧縮空気
▲１２▼　便器
▲１３▼　ホース
▲１４▼　固定部分
▲１５▼　にぎり
(57)【要約】【課題】従来、傘の軸柄が真っ直ぐなため、雨を避けるために軸柄を垂直に差すと手が疲れ、楽に差すために肩にかけるなどして軸柄を斜めにすると雨を避けにくいという難点があった。【解決手段】上記難点を解決するために、軸柄に角度を持たせるかカーブを持たせて、把柄を持つ手を体から離して差しても雨がかからないようにした。【選択図】　図１ID=000004 HE=073 WI=154 LX=0000 LY=0000>
0003098325.tif 000002
【実用新案登録請求の範囲】
【請求項１】
軸柄に角度をもたせて楽に差せるように工夫した傘
【請求項２】
軸柄にカーブをもたせて楽に差せるように工夫した傘
【考案の詳細な説明】
【０００１】
【考案が解決しようとする課題】
従来、傘の軸柄が真っ直ぐなため、雨を避けるために軸柄を垂直に差すと手が疲れ、楽に差すために肩にかけるなどして軸柄を斜めにすると雨を避けにくいという難点があった。
【０００２】
【課題を解決するための手段】
上記難点を解決するために、軸柄に角度を持たせるかカーブを持たせて、把柄を持つ手を体から離して差しても雨がかからないようにした。
【０００３】
【考案の効果】
傘の軸柄が真っ直ぐでないため、把柄を体から離して差しても軸柄は垂直に差せるため、雨がかからず手が疲れない。
【図面の簡単な説明】
【図１】軸柄に角度を持たせた本考案を側面から見た図である
【図２】軸柄にカーブを持たせた本考案を側面から見た図である
【符号の説明】
▲１▼　張り布
▲２▼　軸柄
▲３▼　把柄
【図１】
0003098325.tif 000003
【図２】
0003098325.tif 000004
(57)【要約】　　　（修正有）【課題】本体内に収納した装身具を見る時にその都度一々蓋を開けて見る手数をなくするようにした。【解決手段】装身具（ネックレス）を収納した本体に施す蓋６に設けた透視窓７，７′を調節することが出来るようにした。【選択図】　　図２
0003098328.tif 000002
【実用新案登録請求の範囲】
【請求項１】
本体（１）の長手方向に、均等な間隔を距てて複数の溝（３）を列設し、前記溝（３）の相互間に仕切板（５）を設け、更にこの仕切板（５）に半円形の突起（４）を連設し、而して前記本体（１）に施す蓋（６）の表面適所に菱形状に形成した透視窓（７）を設けた装身具携帯用ケース。
【考案の詳細な説明】
本考案は直線状に延ばした複数本のネックレスを収納することが出来る様にした装身具携帯用ケースの本体に、着脱自在に装着する蓋を設けその略中央位置に設けた窓７．７′から本体内に収納した、複数本のネックレス全てを見ることが出来る様にし、無駄な時間の浪費を解消することが出来る様にしたもので、たとえばセールスマンが業務上止むを得ず多数のケースを一度に持ち運びする必要がある様な場合であっても何等支障なく携帯することが出来るのである。
【考案に属する技術分野】
本考案にかゝる装身具携帯用ケースは、構成部材を発泡性合成樹脂系に属するポリエチレン樹脂のみを使用しておるから、軽量であり、且つ加工が容易で、接着剤のみを用いて、組立作業を行うのである。
【従来の技術】
この種ケース類は、略矩形状に形成しておるのであるが、ケース内に収納した装身具を使用する目的で取り出したり、又使用済後に再びケース内に収納したりする時には、その都度蓋を開閉する必要があった。
【考案が解決しようとする課題】
通常この種のネックレス１本の長さは約４０ｃｍで、この長さのものを延ばしたまゝの状態にして収納することが望ましいことから、ケースに施す蓋に窓を設けて、この窓からケース内に収納したネックレスを容易に見ることが出来る様にしたものである。
【考案の効果】
１、　ネックレスを収納したケースの内部を蓋に設けた透視窓７．７′ら見ることが出来る。
２、　金属製のネジ、釘、鋲類等の部品を全然使用していない。
３、　輸送中に損傷したりすることがない。
４、　量産加工時に作業能率を著しく向上することが出来る。
５、　安価に製造することが出来る工業的利点がある。
【図面の簡単な説明】
【図１】・・・　平面図
【図２】・・・　本体に蓋をした場合
【図３】・・・　本体から蓋を取り外した場合
【図４】・・・　図１に示すＡ−Ａ’断面図
【符号の説明】
１　・・・　本体　　　　　　　　　６　・・・　蓋
２　・・・　側板　　　　　　　　　７．７′・・・　透視窓
３　・・・　溝　　　　　　　　　　８　・・・　止金
４　・・・　突起　　　　　　　　　９　・・・　ネックレス
５　・・・　仕切り板
【図１】
0003098328.tif 000003
【図２】
0003098328.tif 000004
【図３】
0003098328.tif 000005
【図４】
0003098328.tif 000006
(57)【要約】　　　（修正有）【課題】年配者、女性をはじめ大多数の人が愛用する自転車、所謂一般車に緩衝装置を簡単に装着出来る様にすると共に、自転車本来の形態を保持し、乗員が路面から受ける衝撃を回避し、自転車の使用範囲を拡大する事を願い、地球環境の浄化を目指すものである。【解決手段】コイル引きバネ１の一端に牽引材４を接続して、牽引材の中途にガイド車５を配置し、ガイド車５を介して牽引材４の伸張方向を変化させて、自転車を構成するパイプの中に収納し、若しくは、部品仕立てにして装着出来るように構成したものである。【選択図】　　図１
0003098324.tif 000002
【実用新案登録請求の範囲】
【請求項１】
自転車緩衝装置に用いるコイル引きバネの牽引角度を変化させて用いる為に装着したコイル引きバネの一端に、曲折可能の牽引材を接続し、牽引材の中途にガイド車を設置し、ガイド車を介してコイル引きバネの作用角度を変化
させる装置。
【考案の詳細な説明】
【０００１】
【産業上の利用分野】
この考案は、自転車緩衝装置の設置に関するものである。
【０００２】
【従来の技術】
従来、コイル引きバネの設置、作動に関しては、バネの形態上直線方向に
牽引する事が当然となっている。
【０００３】
【考案が解決しようとする課題点】
本案は、コイル引きバネの設置、作動に関して従来の直線方向の牽引から設置場所と牽引方向の関係、設計上の判断から牽引方向をを変化させて作
動させるものである。
【０００４】
【課題を解決するための手段】
課題を解決するために、
（イ）　図１の様に、コイル引きバネ（１）の装着側フック（２）を固定し、牽引側フック（３）に牽引材（４）を接続し、コイル引きバネ（１）が真っ直ぐに作動出来る様に牽引材（４）とガイド車（５）の噛み合わせを見極め牽引角度を変更させる位置にガイド車（５）を設置すると、ガイド車（５）を介して牽引角度を変更出来る。
（ロ）　前項（イ）の概念を理解すれば、自転車のフレームパイプの中にコイル引きバネ（１）を内蔵し牽引材（４）とガイド車（５）を組み合わせると、望む方向に牽引材（４）を引く事が出来、自転車フレームの制約された構造の中に引きバネ（１）を内蔵する事が出来る。
（ハ）　牽引材（４）を２本必要とする場合には２本のコイル引きバネ（１）を設置してもよいが、１本のコイル引きバネ（１）を使用する場合には図２の様に分岐ジョイント（６）を設置する場所のスペースに合わせたサイズで作り、分岐ジョイント（６）にコイル引きバネ（１）からの牽引材（４）を接続するフックを架ける穴（７）を設け、フックを架ける穴（７）の設置位置から等距離の位置に、分岐する牽引材を接続するフックを架ける穴（８）（９）を設けて分岐する牽引材を接続する。
末端迄配置した牽引材の先端にコイル引きバネ（１）の強弱を調節する調節部を設ける。
（ニ）　図１の概念を部品として造る場合には、
コイル引きバネ（１）を収納出来る容器にコイル引きバネ（１）を収納し、ガイド車（５）をコイル引きバネ（１）を収納する容器と一体化した形態にして、自転車の構造上設置出来る位置に、バネの張力に負けない方法で収納容器を固定し、分岐牽引が必要な場合には（ハ）の作業を行う。
【０００５】
【作　用】
以上のような構成であるから、自転車の狭小な位置に緩衝装置を設置する事を避け、空いた広い場所に緩衝装置を設置出来る。
【０００６】
【実施例】
本考案の実施にあたっては次の様に実施する事が出来る。
（イ）　図１の固定フック（２）側にアジャスト機能を接続して、コイル引きバネ（１）の強弱を調節する事が出来る。
（ロ）　牽引材として、チェーン、ワイヤ、ロープ、ベルト等の曲折摩擦に耐え得る材質を選定して、夫々に見合うガイド車と組み合わせて設置する。
【０００７】
【考案の効果】
この装置を設置すれば、自転車の緩衝装置がコンパクトに整理出来、外見的にも従来の自転車の形態から大きく逸脱する事無く、快適に乗れる緩衝装置を装備した自転車を造る事が出来、又、この装置を緩衝装置付き自転車の部品の一部として考慮すれば、人の乗る自転車の不合理が大きく改善され、女性や
年配者が大変安楽に自転車に乗れると共に地球環境改善に寄与する。
【図面の簡単な説明】
【図　１】本考案のコイル引きバネの牽引角度可変装置の側面図
【図　２】本考案の分岐ジョイントの斜視図
【符号の説明】
１はコイル引きバネ
２は装着側フック
３は牽引側フック
４は牽引材
５はガイド車
６は分岐ジョイント
７は牽引材を接続するフックを架ける穴
８は分岐した牽引材を接続するフックを架ける穴
９は分岐した牽引材を接続するフックを架ける穴
【図１】
0003098324.tif 000003
【図２】
0003098324.tif 000004
(57)【要約】【課　題】軌道用不織布の敷設位置決めを容易にすることである。【解決手段】不織布の表面にレール間隔と同等巾の視認しやすい基準線を描いたもの。【選択図】　図２
0003098322.tif 000002
【実用新案登録請求の範囲】
【請求項１】
不織布の表面にレール間隔と同等巾の敷設用基準線を描いた軌道用不織布。
【考案の詳細な説明】
【０００１】
【考案が解決しようとする課題】
鉄道の軌道は一般に図１の様な構造になっており、なかには道床と路盤の間に不織布を敷設しての噴泥防止構造、あるいは省力化軌道においては砕石の隙間に填充する材料の漏洩防止材として同様の位置などに不織布が敷設されている。
【０００２】
従来、不織布は無地で敷設時の位置を合わせるための基準線は描いてなかったため、道床交換時等に不織布を敷設する際は、不織布の敷設位置を他の方法で確認しながらの作業であった。
【０００３】
【課題を解決するための手段】
不織布にあらかじめレール間隔と同等巾の２本の線を描いておく。
【０００４】
【考案の効果】
敷設時には不織布の基準線がレールの真下になるところが正常な不織布の敷設位置となる、これで不織布の敷設の位置設定は容易である。
【０００５】
不織布に描かれた線は暗い所でも視認出来る様に、濃い色の油性または水性塗料等で巾広にするとよい。
【０００７】
したがって、鉄道という列車間合や夜間作業といった作業時間の少ない場合やまた暗い所での、軌道用不織布の敷設が容易にできる。
【図面の簡単な説明】
【図１】軌道の断面図
【図２】本考案の平面図
【符号の説明】
１　不織布
２　レール
３　枕木
４　道床（砕石等）
５　路盤
６　敷設用基準線
【図１】
0003098322.tif 000003
【図２】
0003098322.tif 000004
(57)【要約】　　　（修正有）【課題】この考案は、夏のつめたいジュース、カン、ペットボトル、など、冬場のあたたかいカン、コーヒー、コーチャなどの表面に半円形凹イボへこみを作り、のみ終まで温度を保つといった、ペットボトル、カンに関するものである。【解決手段】ペットボトル１（５００ｍｌ以下）、カン、コーヒー、コーチャなどの表面に、半円形凹イボ２のへこみを作り、表面積を多くして、そうすることにより、つめたさ、あたたかさを保つようにする。そして、半円イボの中になんらかの保温物の液体ポリマーなどを入れる。【選択図】　図１
0003098396.tif 000002
【実用新案登録請求の範囲】
【請求項１】
ペットボトル（５００ｍｌ以下）、カンジュースなどの表面に半円形凹イボへこみを無数にプレスして、又は形にチュー入して作り全体表面積を多くして、夏場、コカ・コーラなどがぬるくなる、また冬場カン・コーヒーがさめるといったことを、のみきるまで、その温度を保つようにする。そして、１．５ｌのペットボトルにもイボをつけ、その半円イボの中になんらかの液体・ポリマーを入れる。
【考案の詳細な説明】
この考案は、ペットボトル、カン、コーヒーなどの表面に半円形凹イボへこみを無数に作り、全体表面積を多くして、ホットはさめないようにして、クールはぬるまらないようにして、のみ終まで温度を保つといったものである。
従来のホットカン、ペットボトル（５００ｍｌ）などのジュースは、すぐさめたり、ぬるくなったりしていました。
本案は、このような欠点を除くために考案されたもので、これを図面について説明するば、ペットボトル（５００ｍｌ以下）、カン・コーヒーなど（１）の表面に、半円形凹イボ（２）のへこみを作り、表面積を多くすることにより、つめたさ、あたたかさを、のみ終るまで保もつようにする。
このようにすれば、夏場つめたいジュースなど、冬場あたたかいコーヒーが、のみ終まで保もつと思ます。
なお、このペットボトル（５００ｍｌ）、カン・コーヒーは夏、冬、ゲンテイハンバイとしてもよいと思ます。
【図面の簡単な説明】
【図１】本案の側面図
【図２】本案の側面図
【符号の説明】
１はペットボトルなど。　　２は半円形凹イボ
１′はカン・コーヒーなど　２′は半円形凹イボ
【図１】
0003098396.tif 000003
【図２】
0003098396.tif 000004
【手続補正書】
【提出日】平成15年6月26日(2003.6.26)
【手続補正１】
【補正対象書類名】明細書
【補正対象項目名】実用新案登録請求の範囲
【補正方法】変更
【補正の内容】
【実用新案登録請求の範囲】
【請求項１】
ペットボトル、カンコーヒー、ビールなどの円形側面の下から半分に、半円形の凹イボへこみをたくさんプレスか、型に注入して作り全体表面積を多くして、夏場ペットボトル、カンジュース、ビールなどがぬるくなるのをふせぎ、冬場は、カンコーヒーなどがさめるのをふせぎ、のみおわるまで、つめたさあたたかさを保つための、凹イボ付きペットボトル、カン。
【手続補正書】
【提出日】平成15年4月1日(2003.4.1)
【手続補正１】
【補正対象書類名】明細書
【補正対象項目名】実用新案登録請求の範囲
【補正方法】変更
【補正の内容】
【実用新案登録請求の範囲】
【請求項１】
ペットボトル、カンジュースなどの表面に半円形の凹イボへこみを、無数にプレスか、型に注入して作り全体表面積を多くして、夏場ペットボトル、カンジュースなどがあたたまるのをふせぎ、冬場はカン、コーヒーが、さめるのをふせぎのみおわまで、その温度を保つようにするための、あたたまり、さめ防止半円形凹イボ。
(57)【要約】　　　（修正有）【課題】自動電源スイッチ機能を有する、カメラ付き携帯電話機を提供する。【解決手段】カメラつき携帯電話機の電源に自動電源スイッチを組み入れて、時刻の設定を必要とせず、他の電話機で、遠隔制御することにより、カメラつき携帯電話機の電源を接、断できる構成とした。【選択図】図１
0003098400.tif 000002
【実用新案登録請求の範囲】
【請求項１】
カメラつき携帯電話機の電源を時刻の設定なしで、電源の自動化による、入り、切り、
【考案の詳細な説明】
無人の場所を看視観察などするとき、カメラつき携帯電話機を設置又は置き自動的に電源を入れて、送信することを目的とした。従来は、電源をオン、オフをその携帯電話に時間を設定し、その時間内において、電源が指定した時刻の入り、切りであった。
自動スイッチをつけて、カメラつき携帯電話機のディスプレー、カメラ、発信部を分離し（電源）自動スイッチ、３、をオン、にすると、ディスプレー、１、カメラ、２、発信部の電源が切れて、ディスプレー、カメラ発信部が止る、携帯電話機の呼び出し番号をダイヤルすると、ディスプレー、カメラ、発信部の電源が入り発信するようにした。
設定した時刻でなく、いつでも自由に、見れるようになった電源がオンになった、その時より例えば、タイマー設定が３分なら３分間看視等が出来る、３分たてば、電源が切れる、この場合は３分のタイマー設定である、テレコントローラーを使うことも出来る。
自動スイッを切にすれば、市販のカメラつき携帯電話機の性能そのまゝになる。常時カメラディスプレーに電源入れておげば部品電力の消耗が激しくなるので電源自動化した。
電話会社の通信設備を利用するので経済的でサービスエリア内でしたら常時使用出来る。
【図面の簡単な説明】
【図１】カメラつき携帯電話機の正面図
【符号の説明】
（１）ディスプレー　（２）カメラ　（３）自動スイッチ、
【図１】
0003098400.tif 000003
【手続補正書】
【提出日】平成15年6月20日(2003.6.20)
【手続補正１】
【補正対象書類名】明細書
【補正対象項目名】実用新案登録請求の範囲
【補正方法】変更
【補正の内容】
【実用新案登録請求の範囲】
【請求項１】
カメラつき携帯電話機の電源に自動電源スイッチを組み入れて、時刻の設定なしで。カメラつき、携帯電話機で、電源を入れて、自動で電源を切ることが出来る、カメラつき携帯電話機。
(57)【要約】　　　（修正有）【課題】建物の内側で締め付けができ、完成後も再度締め付けすることが容易な建築金具を提供する。【解決手段】主体部の金具、空回りを防止するための、一体化させた座金とボルト、補助的な役割の釘の構成から成る。梁側に左右２個の主体部の金具をボルトと釘で固定し、桁側の外部からボルトを通して、内部で締め付ける事を特徴とする内締め羽子板ボルトである。【選択図】図１
0003098398.tif 000002
【実用新案登録請求の範囲】
【請求項１】
Ｌ型をした金具にボルト穴を及び釘穴を穿ち釘２本で止め外部桁側からボルトを通し内部で締め付ける事が容易にできる様にした建築金具
【考案の詳細な説明】
梁と桁とを結合する羽子板ボルトは従来の緊結方法では１方が外部に接すると外部からしか締め付けられない為壁が障害となり完成後の締め付けが不可能となる又木材の収縮により金具にゆるみが生じた場この金具により完成後も再度締め付けが容易にできる。
第３図の平面図では１体化させたボルト（Ｃ）を外部から通しナット（ロ）を付け次に（Ａ）の金具を取り付後ナット（ロ′）を付け（Ｂ）のボルトを梁へ通し（イ）（イ′）の釘で止め（Ｂ）のボルトを固定し梁と桁との密着度を確認しながら完全に締め付ける。
【図面の簡単な説明】
第１図は立体図であり金具の全体の取り付きの様を表わしている
第２図は（Ａ）（Ａ′）の断面図で金具の全体の納りの様を示している。
第３図は平面であり（Ａ）はＬ型金物（Ｂ）は梁取付けボルト（Ｃ）は桁に取り付くボルト（Ｂ′）はＬ金物の補強板を示している
第４図は（Ａ）の金具の立体図であり（イ）（イ′）は釘穴（ロ）（ロ′）はボルト穴を示している
第５図は座金の正面図であり（イ）（イ′）は釘穴（ハ）はボルトを示している
又ボルトのナット部と座金は適正な方法により固定させた物を用いる。
第６図な外部ボルトと内部金具の詳細図であり（ａ）の部分は桁と金物のすき間を示している。
【図１】
0003098398.tif 000003
【図２】
0003098398.tif 000004
【図３】
0003098398.tif 000005
【図４】
0003098398.tif 000006
【図５】
0003098398.tif 000007
【図６】
0003098398.tif 000008
【手続補正書】
【提出日】平成15年7月30日(2003.7.30)
【手続補正１】
【補正対象書類名】明細書
【補正対象項目名】図面の簡単な説明
【補正方法】変更
【補正の内容】
【図面の簡単な説明】
【図１】本考案の、内締め羽子板ボルトを用いて、部材を緊結した状態を表す斜視図である
【図２】外部桁と、内部梁を緊結した状態を表わす、側面図である
【図３】外部桁と、内部梁を緊結した状態を表わす、平面図である
【図４】内部梁にとりつける、主体部の金物の、側面図である
【図５】外部桁側の、座金の釘穴を表わす、側面図である
【図６】部材の接合部と、主体部のすき間を表わす、側面図である
【符号の説明】
１　主体部の金物
２　主体部取付けボルト
３　外部桁と、内部梁締め付けボルト
４　主体部補助釘
５　主体部補強プレート
６　外部緊結ナット
７　内部受けナット
８　空回り防止釘
９　外部１体化座金
１０　外部桁
１１　内部梁
１２　ボルト穴
１３　主体部釘穴
１４　空回り防止釘穴
１５　部材の接合部と、主体部すき間